(57)【要約】【課題】簡単な構成によって子機の照明部が点灯・消灯を行う電話装置を提供することを目的とする。【解決手段】親機と子機とからなる電話装置であり、前記子機は、ＡＣアダプタから与えられる直流電圧が印加されている状態から印加されていない状態へ変化すると、留守番電話機能が有効か否かの判定を行い、有効ではないと判定すると、前記親機に対して無線信号の送信を行い、前記親機から返答の信号を受信しなければ照明部を点灯する。【選択図】図４
2013201595.tif 000002
【特許請求の範囲】
【請求項１】
親機と子機とからなる電話装置であり、
前記子機は、ＡＣアダプタから与えられる直流電圧が印加されている状態から印加されていない状態へ変化すると、留守番電話機能が有効か否かの判定を行い、有効ではないと判定すると、前記親機に対して無線信号の送信を行い、前記親機から返答の信号を受信しなければ照明部を点灯することを特徴とする電話装置。
【請求項２】
前記子機は、前記照明部を点灯しているとき、前記ＡＣアダプタから与えられる直流電圧が印加さていない状態から印加されている状態へ変化すると、前記照明部を消灯することを特徴とする請求項１に記載の電話装置。
【発明の詳細な説明】
【技術分野】
【０００１】
本発明は、電話装置の子機が備える照明部を点灯制御する機能に関する。
【背景技術】
【０００２】
従来より、親機と子機とが無線接続可能なコードレス電話装置の子機の機能として、停電状態になると自動的に子機のライト（以下「照明部」という）を点灯させて、懐中電灯の代わりに使用することができるコードレス電話装置の子機が開示されている。
【先行技術文献】
【特許文献】
【０００３】
【特許文献１】特開２０１０−９３３５５号公報
【発明の概要】
【発明が解決しようとする課題】
【０００４】
しかしながら、上記特許文献１に記載されている子機の照明部を点灯する懐中電灯の機能では、例えば、昼間の周囲が明るく懐中電灯機能が不要な場合に、利用者が必要としていないにも関わらず無条件に子機の照明部が点灯してしまい、子機のバッテリーの電力が消耗してしまうといったことが懸念される。また、利用者の留守中に、仮に子機の照明部が点灯した場合、帰宅した利用者が消灯操作を行わない限り、子機の照明部が消灯しないことになり、子機のバッテリーの電力が消耗してしまうという問題も存在する。更に、利用者が点灯してしまった子機の照明部を消灯させる必要があるため、利用者にとっては無駄な消灯の操作を行わせることになってしまうという煩わしさが残ってしまう。
【０００５】
本発明は上記の問題点を解消することを課題とし、利用者が特に意識することなく、また簡単な構成によって子機の照明部の点灯・消灯を行うことが可能な電話装置を提供することを目的とするものである。
【課題を解決するための手段】
【０００６】
前記課題を解決するために、本願の請求項１にかかる発明は、親機と子機とからなる電話装置であり、前記子機は、ＡＣアダプタから与えられる直流電圧が印加されている状態から印加されていない状態へ変化すると、留守番電話機能が有効か否かの判定を行い、有効ではないと判定すると、前記親機に対して無線信号の送信を行い、前記親機から返答の信号を受信しなければ照明部を点灯することを特徴とする。
【０００７】
また、本願の請求項２にかかる発明は、本願の請求項１にかかる発明であって、前記子機は、前記照明部を点灯しているとき、前記ＡＣアダプタから与えられる直流電圧が印加さていない状態から印加されている状態へ変化すると、前記照明部を消灯することを特徴とする。
【発明の効果】
【０００８】
本発明においては、無条件に子機の照明部が点灯してしまい、子機の電源部に内蔵されたバッテリーの電力が消耗してしまうといった事態を回避することを可能とする。また、停電復帰後には電話装置に通電がなされることで自動的に子機の照明部を消灯するため、バッテリーの電力消費を抑制することが出来る。このように、利用者は特に意識することなく、子機の懐中電灯機能を使用することが可能となる。
【図面の簡単な説明】
【０００９】
【図１】本発明を適用した実施例であるＩＰテレビ電話装置の全体図である。
【図２】本発明を適用した実施例であるＩＰテレビ電話装置の親機のブロック図である。
【図３】本発明を適用した実施例であるＩＰテレビ電話装置の子機のブロック図である。
【図４】本発明の実施例におけるＩＰテレビ電話装置の子機を用いて点灯動作を行う際のフロー図である。
【発明を実施するための形態】
【００１０】
以下、本発明の具体例を実施例及び図面を用いて詳細に説明する。但し、以下に示す実施例は、本発明の技術的思想を具体化するための電話装置を例示するものであって、本発明をこの電話装置に特定することを意図するものではなく、本発明の技術的範囲は、特許請求の範囲の記載によって定められるものである。
【実施例】
【００１１】
図１は、本発明の実施例にかかる電話装置１０の全体構成を示す図である。本実施例の電話装置１０は、所謂ＩＰテレビ電話装置といわれものであり、インターネット回線等に接続された電話装置の親機２０と、無線通信機能を介してこの親機２０と接続される子機４０を有してなる。
【００１２】
次に、前記電話装置１０について、本来の電話機能としての回路構成を説明する。図２は、前記親機２０の構成を示すブロック図である。
【００１３】
親機２０は、制御部２１、回線接続部２２、表示部２３、操作部２４、メモリ部２５、カメラ部２６、ＡＣアダプタ２７、電源部２８、送信部３０、受信部３１、周波数シンセサイザー３２、送受信アンテナ３３、受話器３４などを備えて構成されている。
【００１４】
制御部２１は、マイクロプロセッサを中心に構成され、一般的なコンピュータ装置と同様にＲＯＭ、フラッシュメモリなどのメモリ機能を備えており、このメモリに格納されている各種制御プログラムを読み出して処理を担う。特にＩＰ電話装置として用いるため、ＳＩＰサーバ（図示せず）との通信の制御や、音声データ、映像データ、画像データをパケットに分割して送信するための処理や、受信したパケットを正しい順序に並べ替える処理などを担う。
【００１５】
回線接続部２２は、ＩＰ電話網や公衆電話交換網やＬＡＮなどの回線を親機１０と接続するためのものである。
【００１６】
表示部２３は、液晶パネル等から構成される表示ユニットであり、制御部２１からの制御信号に応じて、電話帳データである電話番号、通話時間や、通話料金などのテキストデータ等の適宜の表示を行う。またテレビ電話の際には、相手方から回線接続部２２を介して送られてきた画像データを再生したり、相手方の電話番号や着信中である旨が表示されたりする。なお、ＩＰテレビ電話装置１０のような場合、この表示部２３は相手方の画像が表示されるので、７インチ程度の比較的大きなものが用いられる。
【００１７】
操作部２４は、数字や文字の入力などを行うためのテンキー、発呼および通話の開始などを操作するための通話キー、通話の終了などを操作するための終話キー、電話帳の検索・登録を行うための電話帳キー、その他の各種モードを設定するための操作を行うためのモード設定キー（例えば、留守番電話モード設定キー）等から構成される。この留守番電話モード設定キ―は、押下される毎で留守番電話機能の有効（オン）無効（オフ）がなさ
れ、その設定は子機４０へ送信される。尚、表示部２３の表示ユニットに例えばタッチパネルなどの入力の機能を搭載し、表示部２３を操作部２４として用いることも可能である。
【００１８】
メモリ部２５は、例えばフラッシュメモリによって構成され、氏名と電話番号とを対で複数格納可能な電話帳機能や、着信履歴や発信履歴を格納する機能等を有している。
【００１９】
電源部２８は、ＡＣアダプタ２７から所定の直流電圧を受けて、各回路構成要素に電源を供給する。
【００２０】
カメラ部２６は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子などで構成されており、カメラ部２６を介して動画あるいは静止画を撮影することができる。これら撮影した画像データは、テレビ電話の際には相手方へ送られることになり、相手方の電話機にて表示されることになる。
【００２１】
送信部３０と受信部３１は、送受信アンテナ３３を介して子機４０との間に無線通信による通話リンクを確立させて、信号の送受信を行う。また、周波数シンセサイザー３２は、当該子機との無線通信のための信号発振を担い、制御部２１からの制御信号によって、送信部３０と受信部３１の送受信周波数を適宜切り換える。親機２０は一定の時間間隔で親機２０の現在の状態を示す状態通知情報を子機４０に通知する。例えば、親機２０が回線保留中か否か、あるいは留守電応答中か否かなど親機２０の状態を示す状態通知情報が子機４０ａに送信される。なお、留守電応答中とは、着信後自動的に回線接続して用件を録音し、録音動作が終了するまでの間をいう。
【００２２】
受話器３４は、通話用のスピーカ（ＳＰ）とマイク（ＭＩＣ）とで構成される。スピーカ（ＳＰ）は、図示しない制御部２１内の音声信号処理部で生成された電気信号を増幅して音声として出力する。マイク（ＭＩＣ）は、音声を電気信号に増幅変換して制御部２１内の音声信号処理部に出力する。
【００２３】
次に、図３を参照しつつ、前記子機４０の電話機能としての構成を説明する。
【００２４】
子機４０は、制御部４１、表示部４２、操作部４３、メモリ部４４、電源部４５、充電部４６、ＡＣアダプタ４７、送信部４８、受信部４９、周波数シンセサイザー５０、送受信アンテナ５１、レシーバ５２、時計部５３、照明部５５等を備えて構成されている。これらの構成は基本的な機能は親機２０と変わらず、親機と異なる構成のみ以下に説明する。
【００２５】
電源部４５は、充電式のバッテリーを内蔵し、子機４０の各回路構成要素に電源を供給する。バッテリーには、充電部４６より電力の供給を受け、電力を一時的に備蓄しておく。例えば充電式アルカリ電池やリチウムイオンバッテリ等が用いられる。
【００２６】
充電部４６は、子機４０が充電台（図示せず）に載置されている間、ＡＣアダプタ４７から与えられる直流電圧が印加されているか否かを検出し、電源部４５のバッテリーの充電を行う。
【００２７】
送信部４８と受信部４９は、送受信アンテナ５１を介して親機２０との間に無線通信による通話リンクを確立させて、信号の送受信を行う。また、周波数シンセサイザー５０は、当該親機２０との無線通信のための信号発振を担い、制御部４１からの制御信号によって、送信部４８と受信部４９の送受信周波数を切り換える。
【００２８】
親機２０から一定の時間間隔で送信される状態通知情報を記憶するメモリ２６に記憶され、必要に応じて制御部４１により参照される。子機４０は、この状態通知情報に基づいて、前記親機の状態を判別し、子機４０からの発呼を制御する。例えば、親機２０が回線保留中あるいは留守電応答中などの所定の状態にあるか否かを判別して子機４０からの発呼を制限するなどの制御を行う。
【００２９】
時計部５３は、子機４０に内蔵された時計であり、表示部４２へ日付を表示するためデータや、通話開始時刻及び通話終了時刻のデータを提供する。また所定の時間を計測するためのタイマーとしても機能する。
【００３０】
照明部５５は、子機４０の表面上端に設置された照明装置である。照明部５５は通常運用時は点灯しない。照明部５５が、所定の発光量で点灯した状態を懐中電灯の機能がオン（有効）となった状態とする。尚、照明部５５には、少なくとも高輝度ＬＥＤ（図示せず）を含むように構成される。高輝度ＬＥＤは、ＬＥＤライト等に用いられる発光部材である。高輝度ＬＥＤの発光色は、照明用であるため白色光のＬＥＤを用いられる。
【００３１】
次に前記電話装置を用いて子機の照明部を点灯させる際の動作を図４のフローチャートを用いて説明を行う。この処理フローについては、制御部４１に格納された子機４０の照明部５５の点灯プログラムを実行することにより開始される。
【００３２】
まず、制御部４１は、充電部４６に直流電圧が印加されている状態（充電状態）から印加されていない状態（非充電状態）に変化したことを示す信号を検出すると、Ｓ２ステップへ処理を進める（Ｓ１ステップのＹＥＳ）。充電部４６にＡＣアダプタ４７から与えられる直流電圧の変化を検出しなければ、本処理を繰り返す（Ｓ１ステップのＮＯ）。尚、充電状態から非充電状態に変わるのは、利用者が子機４０を充電台から取上げる場合だけでなく、子機４０を充電台に載置した状態で充電台から子機４０へＡＣアダプタ４７から与えられる直流電圧（充電電圧）が印加されない場合、即ち、停電状態や子機が充電台から外れた状態（電源プラグ抜け）となったことが想定される場合である。
【００３３】
次に、制御部４１は、夜間時間帯か否かの判定を行う（Ｓ２ステップ）。具体的には、例えば１９時から翌日の５時までを夜間時間帯として利用者が予め設定しておき、時計部５３から取得した現在時刻が、夜間時間帯に該当するか否かの比較を行う。この夜間時間帯とは、室内で活動するのであれば必ず室内の電灯をつける必要がある時刻のことである。つまり利用者は室内において何らかの活動をしようとすれば、室内の明かりをつけなければ暗くて動くことができない時刻である。夜間時間帯でなければ本処理のフローを終了して（Ｓ２ステップのＮＯ）、夜間時間帯であれば、Ｓ３ステップへ処理を進める。
【００３４】
次に制御部４１は、留守番電話の機能が有効か無効か否かの判定を行う（Ｓ３ステップ）。具体的には、利用者が室内にいる状態から外出する際に、親機２０の操作部２４の留守番電話モード設定キ―を押下することで留守番電話の機能が有効な状態になり、親機２０の制御部２１は、子機４０に留守番電話の機能が有効であることを示す情報を送信し、子機４０は、この留守番電話機能が有効であることを示す情報を受信することにより、子機４０の制御部４１は、留守番電話の機能が有効であることがわかる。そして、制御部４１は、留守番電話の機能が有効な状態と判定すると本処理のフローを終了して（Ｓ３ステップのＮＯ）、留守番電話の機能が無効な状態であると判定すると（Ｓ３ステップのＹＥＳ）、Ｓ４ステップへ処理を進める。
【００３５】
次に制御部４１は、送信部４８を制御することで、子機４０から親機２０へ無線接続の開始を要求する信号を送信する（Ｓ４ステップ）。また、制御部４１は所定時間（例えば
、５秒）のカウントを開始する。
【００３６】
次に制御部４１は、Ｓ４ステップにおいてカウントを開始した所定時間内に、受信部４９が親機２０からの返答信号であるＡＣＫ（Ａｃｋｎｏｗｌｅｄｇｅ）信号を受信したと判定するとＳ６ステップへ処理を進め（Ｓ５ステップのＮＯ）、カウントを開始した所定時間内にＡＣＫ信号を受信していないと，Ｓ７ステップへ処理を進める（Ｓ５ステップのＹＥＳ）。
【００３７】
次に制御部４１は、送信部４８と受信部４９を制御することにより親機２０と子機４０との間で無線接続を開始させる。また、親機２０側は、制御部２１が送信部３０と受信部４９を制御することにより回線を接続させると共に、子機４０と無線接続状態にする。これ以降、子機４０側で電話番号が入力されると、入力された電話番号は親機２０を介して回線へ送出され、ダイヤル発信が行われる。
【００３８】
一方、制御部４１は、Ｓ７ステップにおいて、照明部５５を点灯させる。制御部４１は照明部５５を点灯させることで、子機４０の懐中電灯機能を有効（オン）状態にする。この状態では、照明部５５の高輝度ＬＥＤの点灯が継続する。
【００３９】
照明部５５の点灯後に、例えば、停電状態から復旧することで、制御部４１は、充電部４６から、非充電状態から充電状態へと変化したことを示す信号を検出すると（Ｓ８ステップのＹＥＳ）、照明部５５を消灯させる（Ｓ９ステップ）。または、制御部４１は、操作部４３からの所定のキー操作を検出すると照明部５５を消灯させる構成としても良い。この照明部５５が点灯から消灯に変化した時点で、懐中電灯機能を無効（オフ）状態として、本処理を終了する。
【００４０】
尚、Ｓ２ステップにおいて、予め夜間時間帯の設定を利用者が行うことについて触れたが、この時刻は、特に夜間に限られるものではなく、利用者が任意の時間帯（所定の時間帯）を設定してもよい。
【００４１】
上述した子機の点灯動作について、夜間時間帯に停電になってしまったケースと子機の照明部が点灯後、停電が復旧して電話装置へ通電された場合について説明する。
【００４２】
利用者は、操作部４３を操作して、子機の照明部５５が点灯する時間帯を予め設定しておく。尚、ここでは夜間時間帯として、午後６時から翌日の午前６時までを設定登録しているものとする。夜間時間帯を設定登録した子機４０を充電台に置いた状態で、午後９時に停電になったとする。制御部４１は、充電部４６においてＡＣアダプタ４７から与えられる直流電圧が印加されている状態（充電状態）から印加されていない状態（非充電状態）に変化したことを示す信号を検出すると（Ｓ１ステップのＹＥＳ）、時計部５３から現在時刻を取得して、現在時刻が夜間時刻帯に相当するものであると判定する（Ｓ２ステップ）。次に、制御部４１は、留守番電話の機能が有効か否かを判定する（Ｓ３ステップ）。制御部４１は、留守番電話の機能が無効（オフ）状態と判定すると（Ｓ３ステップのＮＯ）、親機２０へ無線接続の開始を要求する信号を送信する（Ｓ４ステップ）。制御部４１は、所定時間内にＡＣＫ信号を受信しなければ（Ｓ５ステップのＹＥＳ）、子機の照明部５５を点灯させることで、懐中電灯の機能を有効にする（Ｓ７ステップ）。
【００４３】
続いて、子機の照明部が点灯後に停電状態から復旧して電話装置へ通電された場合について説明する。
【００４４】
例えば、午後１０時に停電状態から復旧すると、制御部４１は、充電部４６にＡＣアダプタ４７から与えられる直流電圧が印加されていない状態（非充電状態）から印加されて
いる状態（充電状態）に変化したことを示す信号を検出する（Ｓ８ステップ）。この時、制御部４１は、照明部５５を制御して照明部５５を消灯させて（Ｓ９ステップ）、本処理を終了する。もしくは、利用者が操作部４３からの所定のキー操作を行うことで、照明部５５の点灯をオフにする操作を検出することで懐中電灯の機能を終了することも可能である。
【００４５】
このように、本発明では、利用者が必要としていないにも関わらず無条件に子機の照明部が点灯してしまい、子機のバッテリーの電力が消耗してしまうといった事態を回避することを可能とする。
【符号の説明】
【００４６】
１０    電話装置
２０    親機
４０    子機
５５    照明部
【図１】
2013201595.tif 000003
【図２】
2013201595.tif 000004
【図３】
2013201595.tif 000005
【図４】
2013201595.tif 000006